(57)【要約】【課題】全系系統図から縮約系統図を作成でき、設備のリンク付けもできる系統図自動作成システムを得る。【解決手段】縮約系統図に変換したい範囲を指定する利用者端末１０と、全系系統図を表示する際に、全系系統図データベース２００から設備の図形情報等を読み出し全系内部木構造１０２を生成し、これに基き全系系統図を表示し、指定された範囲の設備の図形情報等を全系内部木構造１０２から全て取り出し、仮想的な矩形の４頂点から一番近い電力所を４箇所検索し、４頂点の位置に重なるように電力所の位置を決定し、電力所単位に全ての設備について検索し、設備テーブル１０４を参照して該当設備が表示対象であれば、縮約系統図上での設備の位置を決定し、縮約系統図上の設備と全系系統図の設備とをリンク付けして、縮約系統図を作成するサーバ計算機１００とを設けた。【選択図】図１
2006318400.tif 000002
【特許請求の範囲】
【請求項１】
全系系統図から簡略化された縮約系統図を作成する系統図自動作成システムであって、
設備の図形情報及び接続情報を格納する全系系統図データベースと、
表示された全系系統図上で縮約系統図に変換したい範囲を指定するための利用者端末と、
縮約系統図で表示対象とする設備種別及び表示対象としない設備種別が予め設定された設備テーブルと、
前記全系系統図を表示する際には、前記全系系統図データベースから設備の図形情報、接続情報を読み出して全系内部木構造を生成し、前記全系内部木構造に基づいて全系系統図を前記利用者端末に表示し、
前記利用者端末によって指定された縮約系統図に変換したい範囲の設備の図形情報及び接続情報を前記全系内部木構造から全て検索して取り出し、
取り出した設備の図形情報及び接続情報の中から、仮想的な矩形の４頂点からそれぞれ一番近い電力所を４箇所検索し、前記仮想的な矩形の４頂点の位置にそれぞれ重なるように４箇所の電力所の位置を決定し、
取り出した設備の図形情報及び接続情報の中から、処理対象となる電力所単位に全ての設備について検索し、前記設備テーブルを参照して該当設備が表示対象であれば、縮約系統図上での設備の表示位置を決定して設備同士の接続線を描画し、
前記縮約系統図上の設備と前記全系系統図の設備とをリンク付けして、縮約系統図を作成するサーバ計算機と
を備えたことを特徴とする系統図自動作成システム。
【請求項２】
前記図形情報は、全ての設備の図形データと属性データと位置データとＩＤ番号とから構成され、
前記ＩＤ番号は、個々の設備を識別するために全ての設備に付与され、
前記接続情報は、個々の設備の電気的な接続状態を示す情報であり、
前記縮約系統図上の設備と前記全系系統図の設備とのリンク付けは、前記ＩＤ番号により行う
ことを特徴とする請求項１記載の系統図自動作成システム。
【請求項３】
前記仮想的な矩形は、印刷する場合の印刷用紙に相当する
ことを特徴とする請求項１又は２記載の系統図自動作成システム。
【発明の詳細な説明】
【技術分野】
【０００１】
この発明は、全系系統図を利用者端末の画面上に表示して、利用者が画面上から縮約系統図を作成できる系統図自動作成システムに関するものである。
【背景技術】
【０００２】
従来の電力系統の系統図を表示／操作する装置においては、系統図データを図形データとして扱い、その上で回路の入り切り操作や、潮流計算を実施して結果を表示していた。また、他の従来の装置では、系統図データを簡略化して表示するが、簡略化された系統図を利用者が新たに作成してから、一つずつ設備の関連付けを行う必要があった。さらに、全体系統図と詳細系統図を切り替えて表示する装置があるが、２種類の系統図を作成する手段については説明されていない（例えば、特許文献１参照）。
【０００３】
【特許文献１】特開平６−２９０３７９号公報
【発明の開示】
【発明が解決しようとする課題】
【０００４】
上述したような従来の装置では、簡略化された系統図を作る度に利用者の作業が発生して、多大な作成時間を要するという問題点があった。また、利用者が設備間の関連付けを行っているため、入力誤りが発生するなどの問題点があり、チェックも多大な工数を必要とするという問題点があった。
【０００５】
この発明は、上述のような課題を解決するためになされたもので、その目的は、全系系統図が簡略化された縮約系統図を自動で作成することができ、それを元にして簡略化されたデータに高速に変換することができるとともに、両方の設備データのリンク付けも自動で行うことができる系統図自動作成システムを得るものである。
【課題を解決するための手段】
【０００６】
この発明に係る系統図自動作成システムは、全系系統図から簡略化された縮約系統図を作成する系統図自動作成システムであって、設備の図形情報及び接続情報を格納する全系系統図データベースと、表示された全系系統図上で縮約系統図に変換したい範囲を指定するための利用者端末と、縮約系統図で表示対象とする設備種別及び表示対象としない設備種別が予め設定された設備テーブルと、前記全系系統図を表示する際には、前記全系系統図データベースから設備の図形情報、接続情報を読み出して全系内部木構造を生成し、前記全系内部木構造に基づいて全系系統図を前記利用者端末に表示し、前記利用者端末によって指定された縮約系統図に変換したい範囲の設備の図形情報及び接続情報を前記全系内部木構造から全て検索して取り出し、取り出した設備の図形情報及び接続情報の中から、仮想的な矩形の４頂点からそれぞれ一番近い電力所を４箇所検索し、前記仮想的な矩形の４頂点の位置にそれぞれ重なるように４箇所の電力所の位置を決定し、取り出した設備の図形情報及び接続情報の中から、処理対象となる電力所単位に全ての設備について検索し、前記設備テーブルを参照して該当設備が表示対象であれば、縮約系統図上での設備の表示位置を決定して設備同士の接続線を描画し、前記縮約系統図上の設備と前記全系系統図の設備とをリンク付けして、縮約系統図を作成するサーバ計算機とを設けたものである。
【発明の効果】
【０００７】
この発明に係る系統図自動作成システムは、全系系統図が簡略化された縮約系統図を自動で作成することができ、それを元にして簡略化されたデータに高速に変換することができるとともに、両方の設備データのリンク付けも自動で行うことができるという効果を奏する。
【発明を実施するための最良の形態】
【０００８】
実施の形態１．
この発明の実施の形態１に係る系統図自動作成システムについて図１から図６までを参照しながら説明する。図１は、この発明の実施の形態１に係る系統図自動作成システムの構成を示す図である。なお、各図中、同一符号は同一又は相当部分を示す。
【０００９】
図１において、この実施の形態１に係る系統図自動作成システムは、利用者端末１０、２０と、系統図データを管理、生成するサーバ計算機１００と、全系系統図データベース２００と、縮約系統図データベース３００（３００Ａ、３００Ｂ、・・・）とが設けられている。
【００１０】
利用者端末１０、２０は、実際に利用者が操作する端末であり、ネットワーク３０を経由してサーバ計算機１００に接続されている。図１では、便宜上、全系系統図と縮約系統図を別端末に表示しているが、実際には、同一端末上に両者を切り替えて表示させて操作してもよい。なお、利用者端末１０に表示されている全系系統図では一部の電力所などが、利用者端末２０に表示されている縮約系統図ではＣＢ（Circuit Breaker）などが省略されている。
【００１１】
サーバ計算機１００は、木構造生成機能１０１と、全系内部木構造１０２と、縮約内部木構造１０３と、設備テーブル１０４と、設備表示機能１０５と、縮約図生成機能１０６と、リンク付け機能１０７と、潮流計算機能１０８とを持っている。
【００１２】
木構造生成機能１０１は、全系系統図データベース２００や、縮約系統図データベース３００から読み込んだデータを主記憶上の全系内部木構造１０２、縮約内部木構造１０３に変換する。これら全系内部木構造１０２、縮約内部木構造１０３は、系統図データを管理する主記憶上の木構造である。この木構造は、系統図ごとに一つ生成され、設備の位置情報を管理する。この木構造を利用して、設備間の距離計算や、ある範囲内の設備の検索などの空間探索処理を行うことができる。
【００１３】
設備テーブル１０４は、縮約系統図を生成する際に使用するものである。この設備テーブル１０４には、あらかじめ、設備種別ごとに表示、非表示を登録しておく。
【００１４】
設備表示機能１０５は、全系内部木構造１０２や、縮約内部木構造１０３に基づいて、利用者端末１０、２０に全系系統図（全系図）や、縮約系統図（縮約図）を表示する。
【００１５】
縮約図生成機能１０６は、指定された範囲の縮約系統図（縮約図）を生成し、縮約系統図データベース３００として登録する。
【００１６】
リンク付け機能１０７は、縮約系統図上の設備が全系系統図上のどの設備に対応するのかをＩＤ番号で関連付ける。潮流計算機能１０８は、全系系統図データベース２００の接続情報を元にして、設備上の電気の流れを計算する。
【００１７】
サーバ計算機１００は、全系系統図データベース２００と、縮約系統図データベース３００（３００Ａ、３００Ｂ、・・・）を持っている。この縮約系統図データベース３００は、縮約系統図の個数分拡張することができる。全系系統図データベース２００は、全ての設備（電力所を含む）の図形データと属性（設備の名前等）データと位置データ等から構成される図形情報と、個々の設備の電気的な接続状態を接続情報として保持している。また、全ての設備に、個々の設備を識別するためのＩＤ番号が付与され、図形情報の一部として登録されている。
【００１８】
各縮約系統図データベース３００（３００Ａ、３００Ｂ、・・・）は、縮約系統図内の設備（電力所を含む）の図形データと属性（設備の名前等）データと位置データ等から構成される図形情報と、縮約系統図の設備と全系系統図の設備のリンク付けされたＩＤ番号から構成される全系リンク情報を持っている。
【００１９】
つぎに、この実施の形態１に係る系統図自動作成システムの動作について図面を参照しながら説明する。
【００２０】
図２は、この発明の実施の形態１に係る系統図自動作成システムの動作を示すフローチャートである。また、図３、図４及び図６は、この発明の実施の形態１に係る系統図自動作成システムの処理過程を示す図である。図５は、この発明の実施の形態１に係る系統図自動作成システムの設備テーブルの構成を示す図である。
【００２１】
ステップＳ０１において、利用者は、縮約系統図で表示対象とする設備種別と、表示対象としない設備種別を、サーバ計算機１００内の設備テーブル１０４に予め設定しておく。図５の例では、利用者は、利用者端末１０、２０を通じて、以下のように設定する。『母線』、『接続線』、『ＣＢ（Circuit Breaker）：回路遮断器』は、表示対象とする（○印）。また、『キャパシタ』、『ＬＳ（Line Switch）：ラインスイッチ』、『母線間接続線』は、表示対象としない（×印）。
【００２２】
ステップＳ０２〜Ｓ０３において、利用者は、まず、例えば、マウス操作で指定して全系系統図を利用者端末１０に表示し、縮約系統図に変換したい範囲をマウス操作で指定する。そして、縮約系統図作成をマウス操作で指示する。図１の例では、スクロール操作で利用者端末１０に表示された或る範囲の全系系統図で、点線で囲んだ枠が利用者によって指定された範囲とする。
【００２３】
全系系統図を表示する際には、サーバ計算機１００の木構造生成機能１０１によって、全系系統図データベース２００から図形情報、接続情報が読み出され、主記憶上の全系内部木構造１０２に変換される。この全系内部木構造１０２に基づいて、設備表示機能１０５により全系系統図が利用者端末１０に表示される。なお、ここでは、全系系統図データベース２００は、既に作成されているものとし、縮約系統図データベース３００は、まだ作成されていないものとする。
【００２４】
全系系統図内の縮約系統図に変換したい範囲は、図１の利用者端末１０では、点線の多角形で表している。この例のように、縮約系統図に変換したい範囲は矩形とは限らない。縮約系統図に変換したい範囲内には、少なくとも４箇所の電力所を含まなければならない。
【００２５】
これ以降のステップＳ０４〜Ｓ１６の処理は、ステップＳ１５を除いて、サーバ計算機１００の縮約図生成機能１０６が行う。
【００２６】
ステップＳ０４において、まず、指定された縮約系統図に変換したい範囲の図形情報を全系内部木構造１０２から全て検索して取り出す。
【００２７】
ここからのステップＳ０５〜Ｓ０９の処理を図示したものが図３と図４である。
【００２８】
ステップＳ０５〜Ｓ０６において、取り出した図形情報の位置データの中から、まず、図３に示す仮想的な矩形（印刷する場合の印刷用紙に相当する）の４頂点Ａ、Ｂ、Ｃ、Ｄから内側で一番近い電力所（全ての設備の親となる設備）を、４箇所検索する。そして、図４に示すように、４箇所の電力所１、２、３、４の位置を、仮想的な矩形の４頂点Ａ、Ｂ、Ｃ、Ｄの位置に重なるように位置を決定する。図３及び図４に示すように、電力所１が頂点Ａ、電力所２が頂点Ｂ、電力所３が頂点Ｃ、電力所４が頂点Ｄに、それぞれ移動する。このように、印刷時になるべく隙間なく収まるように、電力所を配置する。
【００２９】
ステップＳ０７〜Ｓ０９において、取り出した図形情報の位置データの中から、次に、電力所１〜４以外の電力所がなくなるまで検索し、電力所５〜７毎の仮想的な矩形内の相対位置を計算し、矩形内での電力所５〜７の位置を決定する。図３に点線で示すように、仮想的な矩形の４頂点の位置に決定した電力所１〜４の元の位置の間に、第２の矩形を作り、この第２の矩形の中の位置と仮想的な矩形の中の位置が比例関係になるように電力所５〜７の位置を決定する。
【００３０】
ステップＳ１０〜Ｓ１４において、指定された縮約系統図に変換したい範囲内の全ての電力所の位置を決定したら、電力所単位に設備の配置を実施していく。まず、取り出した図形情報の位置データの中から、処理対象となる電力所を検索して、電力所単位に設備がなくなるまで検索処理を続ける。該当設備が表示対象かどうかを、設備テーブル１０４を参照して決定する。設備テーブル１０４の具体例を図示したものが図５である。該当設備が表示対象であれば、電力所の決定済みの位置や、全系内部木構造１０２の機能を利用して縮約系統図上での表示位置を決定する。そして、他の電力所の設備との接続線を描画する。まだ、他の電力所の設備の位置が決定していない場合は、接続線を描画しない。
【００３１】
ステップＳ１５において、リンク付け機能１０７によって、縮約系統図上の母線、接続線などの設備と、全系系統図上の設備とのＩＤ番号によるリンク付けを行う。上述した電力所単位の設備の検索時に該当設備のＩＤ番号を保持しておき、縮約系統図上の設備のＩＤ番号とする。このＩＤ番号によるリンク付け情報は、縮約系統図データベース３００の全系リンク情報として保持されるものであり、どの設備を縮約したものかを辿ることができる。
【００３２】
図６に示す例では、（ａ）に全系系統図、（ｂ）に縮約系統図をそれぞれ示す。図６（ａ）では、或る電力所の設備として、母線４０１と、接続線４０２と、キャパシタ４０３と、ＣＢ４０４と、ＬＳ４０５と、母線間接続線４０６とが表示されている。図６（ｂ）では、図５に示す設備テーブルに合わせて、縮約系統図の設備として、キャパシタ４０３と、ＬＳ４０５と、母線間接続線４０６とが省略され、母線４０１と、接続線４０２と、ＣＢ４０４とが表示されている。
【００３３】
ステップＳ１６において、指定された縮約系統図に変換したい範囲内の全ての電力所及びその設備に対して処理が完了したら、作成した縮約系統図のデータを、例えば縮約系統図データベース３００Ａとして登録し、全ての処理が完了する。
【００３４】
以上により、縮約系統図を自動で作成することができ、また、全系系統図と縮約系統図の両方の設備データのリンク付けを自動で行うことができる。
【図面の簡単な説明】
【００３５】
【図１】この発明の実施の形態１に係る系統図自動作成システムの構成を示す図である。
【図２】この発明の実施の形態１に係る系統図自動作成システムの動作を示すフローチャートである。
【図３】この発明の実施の形態１に係る系統図自動作成システムの処理過程（電力所配置前）を示す図である。
【図４】この発明の実施の形態１に係る系統図自動作成システムの処理過程（電力所配置後）を示す図である。
【図５】この発明の実施の形態１に係る系統図自動作成システムの設備テーブルの構成を示す図である。
【図６】この発明の実施の形態１に係る系統図自動作成システムの処理過程（設備省略）を示す図である。
【符号の説明】
【００３６】
１０、２０  利用者端末、３０  ネットワーク、１００  サーバ計算機、１０１  木構造生成機能、１０２  全系内部木構造、１０３  縮約内部木構造、１０４  設備テーブル、１０５  設備表示機能、１０６  縮約図生成機能、１０７  リンク付け機能、１０８  潮流計算機能、２００  全系系統図データベース、３００、３００Ａ、３００Ｂ  縮約系統図データベース。
【図１】
2006318400.tif 000003
【図２】
2006318400.tif 000004
【図３】
2006318400.tif 000005
【図４】
2006318400.tif 000006
【図５】
2006318400.tif 000007
【図６】
2006318400.tif 000008